(57)【要約】      （修正有）【課題】化粧量の使用触感評価方法を提供する。【解決手段】使用触感評価方法が、化粧料を被塗布面に、往復動作によって塗布する際の前記化粧料の温度を経時的に測定する測定ステップＳ１０と、前記温度の経時的変化から特徴量を抽出する特徴量抽出ステップＳ２０と、前記特徴量に基づき前記化粧料の使用触感を評価する評価ステップＳ３０とを含む。【選択図】図１
2020128936.tif 000002
【特許請求の範囲】
【請求項１】
化粧料を被塗布面に、往復動作によって塗布する際の前記化粧料の温度を経時的に測定する測定ステップと、
前記温度の経時的変化から特徴量を抽出する特徴量抽出ステップと、
前記特徴量に基づき前記化粧料の使用触感を評価する評価ステップとを含む、使用触感評価方法。
【請求項２】
前記特徴量抽出ステップは、前記温度の経時的変化を周波数解析し、得られた周波数スペクトルにおける特定のピークに対応する周波数範囲における振幅に係る特徴量を抽出することを含む、請求項１に記載の使用触感評価方法。
【請求項３】
前記周波数範囲は、前記往復動作の周波数を含む、請求項２に記載の使用触感評価方法。
【請求項４】
前記往復動作の周波数は、０．２〜３Ｈｚである、請求項１から３のいずれか一項に記載の使用触感評価方法。
【請求項５】
前記評価ステップにおいて、予め求めておいた、前記特徴量と化粧料の使用触感の官能評価との関係に基づき、前記化粧料の使用触感を評価する、請求項１から４のいずれか一項に記載の使用触感評価方法。
【請求項６】
前記使用触感は、みずみずしさ、さっぱりさ、清涼感、なじみの早さ、油っぽさの１以上である、請求項１から５のいずれか一項に記載の使用触感評価方法。
【請求項７】
前記測定ステップにおいて、前記往復動作は塗布体を用いて行い、前記塗布体及び前記被塗布面の少なくとも一方の温度を調節する、請求項１から６のいずれか一項に記載の使用触感評価方法。
【請求項８】
化粧料を被塗布面に、往復動作によって塗布する際の前記化粧料の温度を経時的に測定する測定手段と、
前記温度の経時的変化から特徴量を抽出する特徴量抽出手段と、
前記特徴量に基づき前記化粧料の使用触感を評価する評価手段と
を含む、使用触感評価装置。
【発明の詳細な説明】
【技術分野】
【０００１】
本発明は、使用触感評価方法、及び使用触感評価装置に関する。
【背景技術】
【０００２】
化粧料を使用する際に感じられる触感（使用触感）は、使用者が化粧料を評価、選択する上での重要な要素となり得る。そのため、化粧料の使用触感を客観的に評価するための様々な手法が検討されており、その中には、化粧料の力学的物性に基づいて触感を評価するもの等がある。特許文献１には、化粧料に外力を加えた時にせん断変形が線形域から非線形域に移行する時の移行せん断力等を指標として、化粧料の使用感を評価する方法が開示されている。
【先行技術文献】
【特許文献】
【０００３】
【特許文献１】特開２００８−６４７２２号公報
【発明の概要】
【発明が解決しようとする課題】
【０００４】
しかしながら、使用者が化粧料を実際に使用する場合には、通常、化粧料を肌の上で塗り広げるという動作をある程度の時間にわたって行う。その間に化粧料は塗広げ動作や肌の温度等からの影響を受け、化粧料の肌への作用も変化していくと考えられる。そのため、特許文献１の開示のような力学的物性を指標としただけでは、化粧料の使用触感を十分に評価できない場合がある。
【０００５】
上記の点に鑑みて、本発明の一形態は、化粧料の使用触感をより的確に評価できる方法を提供することを課題とする。
【課題を解決するための手段】
【０００６】
上記課題を解決するための本発明の一態様による使用触感評価方法は、化粧料を被塗布面に、往復動作によって塗布する際の前記化粧料の温度を経時的に測定する測定ステップと、前記温度の経時的変化から特徴量を抽出する特徴量抽出ステップと、前記特徴量に基づき前記化粧料の使用触感を評価する評価ステップとを含む。
【発明の効果】
【０００７】
本発明の一態様によれば、化粧料の使用触感をより的確に評価できる方法が提供される。
【図面の簡単な説明】
【０００８】
【図１】本発明の一形態による使用触感評価方法を示すフロー図である。
【図２Ａ】本発明の一形態による使用触感評価装置の概略図である。
【図２Ｂ】図２Ａの一部を別の方向から見た拡大図である。
【図３】本発明の一形態で用いられる使用触感評価装置の機能構成例を示す。
【図４】実施例の試料として用いた一化粧水について得られた温度の経時的変化のデータを示すグラフ、及び当該データを周波数解析して得られた周波数スペクトルである。
【図５】実施例における測定から得られた特徴量（振幅の和）と、「塗布後のみずみずしさ」という使用触感の官能評価値との関係を示すグラフである。
【発明を実施するための形態】
【０００９】
以下、本発明を実施するための形態について説明するが、本発明は記載された形態に限定されることはない。
【００１０】
＜使用触感評価方法＞
本発明者らは、化粧料を被塗布面に実際に塗り広げる動作を行いつつ化粧料の温度を経時的に測定したところ、温度の経時的変化のデータ（温度履歴）から抽出された所定の特徴量と、化粧料の使用触感との間に相関があることを知見した。そして、当該知見に基づき、化粧料を被塗布面に塗り広げる動作を行いながら得られた化粧料の温度の経時的変化に関するデータを評価指標として、化粧料の使用触感を評価する方法を見出した。本形態による使用触感の評価指標には、肌の上で化粧料を塗り広げる動作に伴う化粧料の変化が反映され得るため、化粧料の使用触感をより的確に評価することができる。
【００１１】
本形態は、より具体的には、図１に示すように、化粧料を被塗布面に、往復動作によって塗布する際の化粧料の温度を経時的に測定する測定ステップ（Ｓ１０）と、測定ステップで得られた温度の経時的変化から特徴量を抽出する特徴量抽出ステップ（Ｓ２０）と、特徴量に基づき化粧料の使用触感を評価する評価ステップ（Ｓ３０）とを含む方法とすることができる。
【００１２】
本明細書において、化粧料の使用触感（使用感又はテクスチャーとも言う）とは、化粧料を顔や身体等の肌に塗布する際、又は化粧料を塗布してから所定時間経過した後に使用者が感じる感覚である。よって、本形態による方法により評価される使用触感には、使用触感には、使用者が肌で感じる触感が含まれるし、化粧料を指や掌等で塗り広げた場合には指や掌等で感じる触感も含まれる。また、使用触感には、化粧料を初めて肌に接触させ塗り広げている間に肌及び／又は指等で感じられる触感を含めることができるし、化粧料を一旦肌上に塗り広げた後に、肌で感じられる触感、並びに肌を再度撫でたり擦ったりした際に肌及び／又は指等で感じられる触感を含めることができる。
【００１３】
本形態による方法によって評価される使用触感は特に限定されないが、本形態によれば、例えば、使用者が感じる化粧料中の水分、化粧料中の水分と油分とのバランスに関連した触感、或いは化粧料が塗布された肌の水分又は肌の水分と油分とのバランスに関連した触感等を好適に評価することができる。使用触感の具体的な例としては、「みずみずしさ」、「さっぱりさ」、「清涼感」、「なじみの早さ」、「油っぽさ」の１以上が挙げられる。なお、「みずみずしさ」とは、指又は手で肌に触れた際に、水分で潤っているような感触があることを指す。
【００１４】
本形態において評価される化粧料は、肌上に指等で容易に塗り広げることができる形態のものであれば、特に限定されない。化粧料の形態は、液状、ジェル状、クリーム状、半固体状等であってよい。評価される具体的な化粧料としては、顔に適用することを主たる目的とした配合された化粧水、乳液、美容液等の基礎化粧品、化粧下地、ファンデーション等のメーキャップ化粧品の他、ハンドクリーム、ボディクリーム等も挙げられる。また、化粧料には、最終製品として提供される化粧料（化粧品）の他、化粧料基剤や、化粧料基剤を構成するために配合される化合物及びその混合物も含まれ得る。
【００１５】
＜使用触感評価装置＞
図２Ａに、本形態による使用触感評価方法を行うための使用触感評価装置１００の模式図を示す。図２Ａに示すように、使用触感評価装置１００は、被塗布面２と、被塗布面２に、化粧料Ｃを所定の動作で塗布する塗布体３と、化粧料の温度を測定できる温度センサ６とを含む測定部１と、測定部１の各構成要素が接続されたデータ処理部１０とを含んでいてよい。被塗布面２及び／又は塗布体３は、駆動手段８によって駆動させることができる。また、被塗布面２及び塗布体３には、各部材の温度を調節可能な温度調節手段Ｈ１、Ｈ２が設けられている。
【００１６】
本形態による方法では、測定部１によって測定ステップ（Ｓ１０）を行い、データ処理部１０によって特徴量抽出ステップ（Ｓ２０）及び評価ステップ（Ｓ３０）を行うことができる。
【００１７】
図３に、上記データ処理部１の機能構成例を示す。データ処理部１は、図３に示すように、入力手段１１、出力手段１２、記憶手段１３、データ取得手段１４、解析手段１５、評価手段１６、及び制御手段１７を備えていてよい。
【００１８】
入力手段１１は、駆動手段８の駆動、温度測定、データ解析、及び評価等に関する指示をユーザ等から受け付けることができる。入力手段１１は、タッチパネル、キーボード、マウス等、或いはマイク等の音声入力デバイスであってよい。
【００１９】
出力手段１２は、入力手段１１により入力された内容や、入力内容に基づいて実行された内容、例えば解析手段１５による解析結果等を出力（表示）することができる。出力手段１２は、例えば、ディスプレイやスピーカであってよく、プリンタ等の印刷デバイスを有していてもよい。
【００２０】
記憶手段１３は、データ取得手段１４によって取得されたデータ、解析手段１５によって解析された結果（生成された画像を含む）、及び評価手段１６による評価結果等のデータを記憶することができる。また、特徴量と官能評価値との関係（後述）についてのデータも、記憶手段１３に記憶させておくことができる。また、記憶手段１３に記憶されるデータは、例えばインターネットやＬＡＮ（Ｌｏｃａｌ  Ａｒｅａ  Ｎｅｔｗｏｒｋ）等に代表される通信ネットワークを介して外部装置から取得したものであってもよい。
【００２１】
データ取得手段１４は、温度センサ６から化粧料の温度データを経時的に取得することができる。また、データ取得手段１４は、入力手段１１から入力されたデータ、例えば、ユーザ等により入力されたデータ、被塗布面２及び塗布体３の各温度調節手段Ｈ１、Ｈ２の調節のために備えられた温度センサにより測定される温度データ、駆動手段８の駆動速度等に関するデータ等も取得できる。
【００２２】
解析手段１５は、データ取得手段１４にて取得された化粧料の温度データを周波数解析し、周波数スペクトルを生成する周波数解析手段１５ａと、周波数スペクトルに基づき特徴量を抽出する特徴量抽出手段１５ｂと有していてよい。
【００２３】
評価手段１６は、データ取得手段１４により取得され、解析手段１５における解析によって得られた特徴量に基づき、化粧料の使用触感を評価することができる。
【００２４】
制御手段１７は、評価部１０の上述の各手段の制御を行うことができる。
【００２５】
上述の各手段１０〜１７（図３）は、コンピュータによって実行させるプログラムとして生成することができ、これを汎用のパーソナルコンピュータ、サーバ等にインストールすることにより、評価装置１００を実現することができる。本形態では、上記プログラムをデータ処理部１にインストールすることにより評価装置１００を実現することができる。
【００２６】
このように、本発明による一形態は、化粧料を被塗布面に、往復動作によって塗布する際の前記化粧料の温度を経時的に測定する測定手段と、温度の経時的変化から特徴量を抽出する特徴量抽出手段と、特徴量に基づき化粧料の使用触感を評価する評価手段とを有する使用触感評価装置であってよい。
【００２７】
＜測定ステップ（Ｓ１０）＞
測定ステップ（Ｓ１０）において化粧料を塗布する動作は、単に被塗布面に置く動作ではなく、被塗布面上に所定範囲で置かれた化粧料をさらに大きな範囲に塗り広げる動作を含むものである。この動作は、例えば、化粧料を被塗布面に所定面積で接触するよう置いた後、化粧料に塗布体を接触させ、その接触を維持したまま、塗布体を、位置固定された被塗布面に対して相対的に動かすことで、被塗布面上の化粧料を被塗布面の面方向に沿って押して、化粧料が被塗布面と接触している面積を上記所定面積から大きくする動作であってよい。また、塗布動作は、塗布体を動かすのではなく、塗布体を位置固定して被塗布面の方を動かすことによって行うこともできる。また、被塗布体と被塗布面とが相対的に動くのであれば、塗布体及び被塗布面の両方を動かしてもよい。
【００２８】
上記塗布動作は、往復動作であってよい。すなわち、塗布体が、被塗布面上の行きの経路と、その行きの経路を逆方向にたどる戻りの経路とを交互になぞる動作とすることができる。塗布体がなぞる経路は、直線状であってもよいし、円弧状であってもよい。上記動作において、塗布体は、化粧料と接触したままでもよいし、化粧料から規則的なタイミングで離れるようにしてもよいが、少なくともデータ測定中は塗布体と化粧料との接触が維持されていることが好ましい。
【００２９】
特徴量抽出のために必要な温度変化のデータを得るための往復動作の往復回数は、２回以上とすることができる。また、往復動作の周波数ｆｒ（１秒あたりの往復回数）は０．２〜３Ｈｚとすることができる。
【００３０】
図２Ａに示す例では、塗布体３が被塗布面２に対して水平方向に往復動作するように構成されている。図２Ｂに、図２Ａの被塗布面２及び塗布体３を含む部分を別の角度から見た模式図も示す。図２Ａ及び図２Ｂでは、鉛直方向をｚ方向とし、水平方向に広がる平面をｘ−ｙ面とする。また、塗布体３の主たる動作の方向を±ｘ方向とする。
【００３１】
図示の例による被塗布面２及び塗布体３によって塗布動作を開始するには、被塗布面２の上に化粧料Ｃを置き、化粧料と接触するように塗布体３を載せることができる。この際、塗布体３を化粧料Ｃ及び被塗布面２に向かって押し付けてもよく、その場合の押付け力は、０〜１Ｎとすることができる。また、塗布体３は、上記押付け圧が得られるよう、被塗布面２と塗布体３との距離が０〜５ｍｍになるように載せることができる。
【００３２】
続いて、塗布体３を、被塗布面２の面方向に沿って被塗布面２に対して相対的に動かす。図示の例では、被塗布面２はｘ−ｙ面に沿った平坦な面であるので、塗布体３は、この被塗布面２に沿って、主として±ｘ方向の往復動作となるよう動かす（図２Ｂ）。
【００３３】
被塗布面２を構成する材料は特に限定されず、樹脂、ゴム、金属等から形成することができる。シリコーン、ウレタンゲル等からなる弾性体を用いてもよい。なお、被塗布面２を含む台２ａ（図２Ａ）自体を上記材料で構成することもできるし、任意の材料で構成した台２ａに上記材料からなる板又はシートを被覆して被塗布面２を形成してもよい。また、図示の例では、被塗布面２は平坦であるが、湾曲した面とすることができる。その場合、塗布体３は、被塗布面２の湾曲に沿って、塗布体３の押付け圧が一定となるように動かすことが好ましい。
【００３４】
塗布体３を形成する材料も特に限定されず、樹脂、ゴム、金属等から形成することができる。また、シリコーン、ウレタンゲル等からなる弾性体を用いてもよい。例えば、シリコーンからなる又はシリコーンで被覆された成形体とすると好ましい。また、塗布体３の形状としては、被塗布面２（下方、すなわち図中の−ｚ方向）に向かってに突出した形状とすることができる。図示の例では、塗布体３は、円柱を半分に切った形状を有する棒状体（断面が下方に凸の半円である柱状体）となっている。化粧料の使用者が化粧料を塗布する際には指や掌で行うことから、本例のように指の形を模した、被塗布面２に向かって突出した塗布体３を用いることで、実際の塗布動作に近い状態でのデータ取得が可能になる。
【００３５】
なお、被塗布面２及び塗布体３のいずれか一方又は両方は、生体の一部又は生体表面を模した表面を有する成形体とすることもできる。例えば、被塗布面２を、人の皮膚又は人工皮膚の表面とすることができる。また、塗布体３を、人の指や掌等、又は人工皮膚を被覆した成形体としてもよい。
【００３６】
図２Ａに示すように、塗布体３は、駆動手段８によって駆動することができる。駆動手段８としては公知の手段を用いることができ、例えばロボットアームを用いることができる。このような駆動手段（ロボットアーム）８は、基部が旋回可能に構成されている（図２Ａ）。図示の例では、連結部の角度が調整可能に構成されていることで、塗布体３が被塗布面２上で直線状の経路をなぞる往復動作ができるようになっているが、図示のような駆動手段８を用いて円弧状の経路をなぞる往復動作を行うこともできる。
【００３７】
被塗布面２と及び塗布体３のいずれか又は両方は、温度調節可能に構成されていてよい。例えば、被塗布面２を含む台２ａ及び塗布体３のいずれか又は両方に、温度調節手段を内蔵することができる。図示の例では、温度調節手段を、被塗布面２用のヒータＨ１及び塗布体３用のヒータＨ２としている。各ヒータは、後述のデータ処理部１０に接続されており、当該データ処理部１０によって温度制御することができる。その場合、各ヒータに備えられた温度センサにより測定された温度のデータがデータ取得手段１４により取得され、制御手段１７によって温度制御され得る（図３）。
【００３８】
ヒータを用いることで、被塗布面２及び塗布体３の表面の温度を、室温よりも高く、例えば人の体温付近の温度にすることができるため、化粧料が実際に使用される温度環境に似た環境を作り出すことができ、実際の使用状況により近い状況でのデータの取得を行うことができる。なお、被塗布面２は、ヒータＨ１によって１５〜４５℃、好ましくは２０〜３５℃に維持することができ、塗布体３の表面は、ヒータＨ２によって１５〜４５℃、好ましくは２５〜３７℃に維持することができる。また、被塗布面２の温度及び塗布体３は、同じ温度になるよう調節してもよいし、異なる温度に調節してもよい。
【００３９】
本形態では、化粧料を塗布体３によって被塗布面２に塗布している間の温度を経時的に測定する。温度の測定は、例えば図示のように、塗布体３の、化粧料Ｃと接触させる面に取り付けた温度センサ６によって行うことができる。温度センサ６はデータ処理部１０に接続されており、温度が時間のデータとともにデータ処理部１０に送られる。温度センサとしては、例えば熱電対、サーミスタ等を用いることが好ましい。
【００４０】
なお、温度の測定は、化粧料を塗布している期間全体にわたって行うこともできるし、化粧料を塗布している期間の一部にわたって行うこともできる。
【００４１】
＜特徴量抽出ステップ（Ｓ２０）＞
特徴量抽出ステップ（Ｓ２０）においては、上記測定ステップ（Ｓ１０）において測定された温度の経時的変化から、使用触感の評価に用いられる特徴量を抽出することができる。
【００４２】
例えば、得られた温度の経時変化のデータ（時系列データ）から直接的に、分散、標準偏差、変動係数等を求め、それを特徴量とすることができる。また、得られた温度の経時的変化のデータを解析して、解析結果から特徴量を求めることができる。そのような解析としては、周波数解析（周波数分析）等を用いることができる。
【００４３】
データを周波数解析した場合、周波数スペクトルを得ることができるので、この周波数スペクトルに基づき特徴量を求めることができる。周波数解析は、例えば短時間フーリエ変換によって行うことができる。周波数解析を行うことによって、得られたデータの周波数領域表現ができることから、温度変化の周期的な特徴が明らかとなり、往復動作に伴う化粧料の変化が反映された特徴量を抽出することができる。
【００４４】
周波数解析した場合、特徴量は、例えば、所定の周波数範囲における振幅（強度）に係る特徴量とすることができる。ここで、所定の周波数範囲は、例えば、周波数スペクトルにおける特定のピークに対応する周波数範囲であってよい。この特定のピークに対応する周波数範囲とは、特定ピークの始点から終点までの周波数範囲ということができる。また、特定ピークの周波数ｆＰＥＡＫの前後Δｆ（すなわちｆＰＥＡＫ±Δｆ）としてもよい。この場合、Δｆは、特定ピークの周波数ｆＰＥＡＫの０〜３Ｈｚ、好ましくは０〜１Ｈｚとしてもよい。
【００４５】
上記特定のピークは、例えば、周波数スペクトルにおける最大のピークとすることもできるし、特定の観点から選択されたピークとすることができる。例えば、特徴量を求めるための所定の周波数範囲は、往復動作の周波数ｆｒに最も近いピークに対応する周波数範囲とすることができる。よって、特徴量を求める所定の周波数範囲は、往復動作の周波数ｆｒ（単位Ｈｚ）に対応する周波数範囲とすることができ、さらにｆｒの前後Δｆ（すなわち、ｆｒ±Δｆ、Δｆは上記と同様）の範囲とすることができる。このように、上記所定の周波数範囲は、往復動作の周波数ｆｒを含み得る。
【００４６】
所定の周波数範囲における振幅に係る特徴量は、例えば、その周波数範囲における振幅の積分値（面積分値）、重心値、平均値、最大値、最大値と最小値との差、及びその値から累乗等により算出された値の１つ以上とすることができる。
【００４７】
評価の指標となる特徴量は、異なる複数の周波数範囲における振幅に係る複数の特徴量とすることもでき、そのような複数の特徴量から求めた値とすることもできる。さらに、周波数スペクトルにおける所定周波数範囲における特徴量は、温度の経時的変化のデータ以外のデータから得られた別のパラメータと組み合わせて処理されて求められた特徴量であってもよい。
【００４８】
なお、温度の経時的変化及び周波数スペクトルは、データ処理部１０に組み込まれた出力手段１２（図３）によってグラフとして表示されてもよい。
【００４９】
＜評価ステップ（Ｓ３０）＞
評価ステップ（Ｓ３０）においては、上記特徴量抽出ステップ（Ｓ２０）によって抽出された特徴量に基づき、化粧料の使用触感を評価することができる。評価に際しては、予め評価基準を構築しておいて、その基準に基づき評価を行うことが好ましい。
【００５０】
例えば、評価基準としては、温度の経時的変化のデータから抽出された特徴量と、化粧料の使用感触の官能評価との関係を予め構築し、保存しておいたものを用いることができる。具体的には、複数の化粧料についてそれぞれ、上述のように温度の経時的変化を測定して特徴量を求めておき、その一方で、各化粧料の特定の使用触感について官能評価を行い、特徴量と官能評価値との関係をデータベース化することができる。複数の化粧料について温度の経時的変化を測定する方法、及び温度の経時的変化から特徴量を抽出する方法は、測定ステップ（Ｓ１０）及び特徴量抽出ステップ（Ｓ２０）において上述した通りである。一方、官能評価は、各化粧料の各使用触感（評価項目）について、一般のパネル、又は訓練を受けた専門パネルによって行うことができる。パネルには、例えば７段階のスコア（評価値）で評価してもらうことができる[0][0]。また、所定の使用触感に対する官能評価値を求める場合、複数のパネル、例えば２〜１０人、好ましくは５〜１０人のパネルの評価による官能評価値の算術平均値としてもよい。
【００５１】
上記の特徴量と官能評価との関係は、例えばモデル式として保存しておくことができる。このようなモデル式は、回帰分析を行うことによって求めることができる。回帰分析は、線形回帰分析又は非線形回帰分析であってよい。線形回帰分析としては、単回帰分析、重回帰分析、多項式回帰分析等が挙げられる。また、非線形回帰分析としては、ニューラルネットワークを利用した分析等が挙げられる。
【００５２】
モデル式においては、従属変数（目的変数）が、所定の使用触感の官能評価値を含み、独立変数（説明変数）が、上述の温度の経時的変化から抽出された特徴量を含むようにすることができる。また、独立変数として、温度の経時的変化から抽出された特徴量に加えて、それ以外のパラメータを用いてもよい。例えば、独立変数として、化粧料の物性値等を追加的に含めてもよい。
【００５３】
本評価ステップ（Ｓ３０）において、未知の化粧料の使用触感を評価する場合、当該未知の化粧料について、データベースの構築に用いられた既知化粧料と同じ測定条件で温度の経時的変化を測定し、且つ同じ抽出条件で特徴量を抽出した上で、予め構築しておいた関係（データベース）とを比較することによって、上記未知の化粧料の使用触感の官能評価を推定することができる。予め求めておいた関係（データベース）との比較は、上述の特徴量と官能評価値との関係を示すモデル式に当てはめることも含む。
【００５４】
なお、周波数解析及び回帰分析には、ＭａｔｈＷｏｒｋｓ社製のＭａｔｌａｂ（登録商標）等のソフトを用いることができる。また、回帰分析には、Ｍｉｃｒｏｓｏｆｔ社製のＥｘｃｅｌ（登録商標）等のソフトを用いることもできる。
【実施例】
【００５５】
図２Ａに示すような評価装置１００を用いて、化粧料の使用触感を評価した。本例では、被塗布面として、平坦な表面を有する金属製の台をポリエチレン樹脂のシートで覆ったものを用いた。台にはヒータが備え付けられており、面の温度を上昇できるように構成した。一方、塗布体は、指の柔らかさに近くなるよう配合したシリコーン樹脂からなる、半径１０ｍｍの円柱を半分に切った略半円柱形状の棒状体を用いた。塗布体にもヒータを内蔵した。塗布体はロボットアーム（ＤＯＢＯＴ社製「ＤＯＢＯＴ  Ｍａｇｉｃｉａｎ」）によって支持し、ロボットアームの旋回動作によって、塗布体が被塗布面上で１００ｍｍの距離の工程を往復動作できるように装置を構成した。塗布体の、化粧料と接触する表面には、温度センサ（Ｒｉｘｅｎ社製「ＴＰＫ−０２」）を取り付けた。当該温度センサのサンプリングレートは１００Ｈｚであった。
【００５６】
本実施例では、化粧料試料として化粧水を用いた。測定においては、被塗布面上に、０．５ｍＬの化粧水を垂らし、その化粧水に接触するよう上記の塗布体を載せ、塗布体の表面が２ｍｍ変形する圧力を加えた状態で往復動作を行った。塗布体は、２秒で１回の往復するよう（１秒あたりの往復回数（Ｈｚ）が０．５Ｈｚとなるよう）な周期で、計５往復動作させた。そして、この往復動作の間にわたり温度の変化を測定した。
【００５７】
上記測定を、化粧水それぞれについて３回行い、温度の経時的変化のデータを得た。例として、図４（ａ）に、上記９種のうちの一化粧水についての温度の経時的変化を表すグラフの１つを示す。
【００５８】
続いて、各データを用いて周波数解析し、周波数スペクトルを得た。周波数スペクトルの生成には、ＰｈｙｔｏｎのＦＦＴ関数を利用した。図４（ｂ）に、図４（ａ）のデータを周波数解析して得られた周波数スペクトルを示す。
【００５９】
その後、得られた周波数スペクトルに基づき、それぞれ特徴量を算出した。本例における特徴量は、往復動作の周波数である０．５Ｈｚを含む０．４〜０．６Ｈｚという周波数範囲における振幅の和（積分値）とした。
【００６０】
一方、「塗布中のみずみずしさ」という評価項目（使用触感）について専門パネルによる官能評価を行った。各専門パネルには、対照サンプルの評価値を０とした場合の相対的な比較によって官能評価値を出してもらい、その算術平均値を所定の化粧水の官能評価値とした。
【００６１】
続いて、９種の化粧水それぞれについて、周波数スペクトルから求めた特徴量（０．４〜０．６Ｈｚの周波数範囲における振幅の和）と、上記の専門パネルによる官能評価値との相関係数（ピアソンの積率相関係数）を求めた。平均をとったところ０．４５であった。
【００６２】
さらに、「塗布後のみずみずしさ」という評価項目（使用触感）についても、上述と同様に専門パネルにより官能評価を行った。同様にして、各化粧水について、周波数スペクトルから求めた特徴量と、専門パネルによる官能評価値との相関係数求めた。平均をとったところ０．６３であった。
【００６３】
このように、「塗布中のみずみずしさ」及び「塗布後のみずみずしさ」といういずれの使用触感について、周波数スペクトルにおける０．４〜０．６Ｈｚの周波数範囲における振幅の和と官能評価値との間に比較的高い相関があることが分かった。
【００６４】
また、図５に、特徴量（０．４〜０．６Ｈｚの周波数範囲における振幅の和）を横軸（ｘ軸）に、「塗布後のみずみずしさ」という使用触感についての官能評価値を縦軸（ｙ軸）にプロットしたグラフを示す。また、線形回帰式を求めたところ、ｙ＝２．０２ｘ−２．０８（Ｒ２＝０．４０）という式が得られた。図５からも、上記周波数範囲における振幅の和と官能評価値との間の相関が明らかとなっている。
【符号の説明】
【００６５】
１  測定部
２  被塗布面
３  塗布体
６  温度センサ
８  駆動手段
１０  データ処理部
１００  使用触感評価装置
Ｃ  化粧料
Ｈ１  塗布体の加熱手段
Ｈ２  被塗布面の加熱手段
【図１】
2020128936.tif 000003
【図２Ａ】
2020128936.tif 000004
【図２Ｂ】
2020128936.tif 000005
【図３】
2020128936.tif 000006
【図４】
2020128936.tif 000007
【図５】
2020128936.tif 000008